(57)【要約】【課題】機械に資材を積込む必要がなく、一台の牽引作業機の動力だけで作業ができ、土壌改良資材の使用量や埋設する間隔と深さの調整でき、土壌の攪乱を最小限に抑えた、高い施工性と低コストを具備した土壌改良のための資材溝埋設機を提供する。【解決手段】作業車で牽引され、対象土壌中を進行する土壌切断刃支柱２０Ｂと、土壌切断刃付き側方空間保持板２０Ｃと、土壌ブロック持上げスライド板２０Ｄにより対象土壌を逆台形状断面の土壌ブロックに切断し、土壌ブロックをスライド板２０Ｄと保持板２０Ｃで支えながら、スライド板２０Ｄにより支柱２０Ｂに沿って斜め上方に持上げ、保持板２０Ｃの裏側に側方空洞、スライド板２０Ｄの下方に底部空洞を構築し、資材収集投入機により、土壌表面に敷設された配置資材を前記空洞に落下投入し、土壌ブロックを埋戻すことにより、土壌中に配置資材が投入されたＬ字形状縦溝を形成する資材溝埋設機を提供する。【選択図】図４
2011078322.tif 000002
【特許請求の範囲】
【請求項１】
作業車で牽引して対象土壌の表面と下層を進行させることにより、土壌を耕耘し過度に攪乱することなく、予め、土壌表面に所定厚さ又は所定量敷設した配置資材を寄せ集めて、配置資材を所定範囲内に設定した一定の間隔で土壌中に埋設して、土壌中に配置資材が投入されたＬ字形状縦溝を形成する資材溝埋設機であって、
(a)前記作業車の後方に装着する作業機取付フレームと、前記作業機取付フレームに取り付けられ、牽引されて対象土壌を逆台形状断面の土壌ブロックに切断し、切断した土壌ブロックを持ち上げる土壌ブロック持上げ部と、前記土壌ブロック持上げ部の側方に配設され、土壌表面の配置資材を収集して投入する資材収集投入機とを備え、
(b)前記土壌ブロック持上げ部は、前記土壌ブロックの一方の側面側を切断する、刃の付いた平板支柱である土壌切断刃支柱と、前記土壌切断刃支柱と対に配設され、前記土壌ブロックの他方の側面側を切断すると共に、切断された土壌ブロックを支える土壌切断刃付き側方空間保持板と、前記土壌切断刃支柱と前記土壌切断刃付き側方空間保持板の下端に夫々両端が接続され、前記土壌ブロックの底面側を切断すると共に、切断した土壌ブロックを支えて持ち上げる土壌ブロック持上げスライド板とを有し、
(ｃ)前記土壌ブロック持上げスライド板は、進行方向後方に向かって前記土壌切断刃支柱の延長線上に沿って漸次高くなり、所定高さになった位置から所定長さ水平に配置されてなり、
（ｄ）前記土壌ブロック持上げ部は、対象土壌中を進行しつつ、前記土壌切断刃支柱と、前記土壌切断刃付き側方空間保持板と、前記土壌ブロック持上げスライド板の夫々前方に付加された土壌切刃により対象土壌を逆台形状断面の土壌ブロックに切断し、
（ｅ）切断された土壌ブロックを前記土壌ブロック持上げスライド板と前記土壌切断刃付き側方空間保持板によって支えながら、前記土壌ブロック持上げスライド板により前記土壌切断刃付き側方空間保持板に沿って斜め上方に持上げることにより、前記土壌切断刃付き側方空間保持板の裏側に側方空洞を作り、土壌ブロック持上げスライド板の下方に底部空洞を作って、前記側方空洞と、底部空洞とにより土壌表面から続くＬ字状の空洞を構築し、
（ｆ）前記資材収集投入機により、予め、土壌表面に敷設された配置資材を片側に寄せ集めて、前記Ｌ字状の空洞に投入落下させ、
（ｇ）前記土壌ブロック持上げスライド板で持上げた土壌ブロックを前記Ｌ字状の空洞上に落とし土壌を埋戻すことにより、土壌中に配置資材が投入されたＬ字形状縦溝を形成するように構成したことを特徴とする資材溝埋設機。
【請求項２】
前記資材収集投入機は、幅の異なる資材収集投入機を選択して接続することにより、又は、資材収集投入機の接続角を調節することにより、配置資材収集幅又は配置資材の埋設間隔を調整するように構成したことを特徴とする請求項２記載の資材溝埋設機。
【請求項３】
前記資材収集投入機として、円形オーガが配置されたオーガ式資材収集投入機、又は、チェーンに複数のカップが配設されたチェーン式資材収集投入機のいずれかが選択自在に取り付けられることを特徴とする請求項１又は２記載の資材溝埋設機。
【請求項４】
前記資材収集投入機は、作業機の進行方向に対して斜め横向き或いは横向きに配置されることを特徴とする請求項１乃至３のうちいずれか一に記載の資材溝埋設機。
【請求項５】
前記作業機取付フレームに前記作業機取付フレームの高さを調節する作業機取付フレーム高さ調整車輪を設け、前記作業機取付フレーム高さ調整車輪によって前記作業機取付フレームの高さを調節することにより、土壌ブロックの切断深さを調整自在に構成したことを特徴とする請求項１乃至４のうちいずれか一に記載の資材溝埋設機。
【請求項６】
前記資材収集投入機に前記資材収集投入機の高さを調節する資材収集投入機設置高さ調節用ソリを設け、前記資材収集投入機設置高さ調節用ソリを介して前記資材収集投入機の高さを調節することにより、配置資材収集の厚さを調整自在に構成すると共に、前記資材収集投入機に資材投入機高さ調節スプリングを設け、前記資材投入機高さ調節スプリングを介して前記資材収集投入機を土壌表面の凹凸等に追従させて自由に上下させるように構成したことを特徴とする請求項１乃至５のうちいずれか一に記載の資材溝埋設機。
【請求項７】
対象土壌を耕耘して過度に攪乱することなく、予め、土壌表面に敷設した配置資材を寄せ集めて、所定範囲内に設定した一定の間隔で、土壌中に配置資材を埋設して、土壌中に配置資材が投入されたＬ字形状縦溝を形成する資材溝埋設施工方法であって、
（ａ）土壌を逆台形状断面の土壌ブロックに切断し、切断した土壌ブロックを逆台形の片側面に沿って斜め上方に持上げ、土壌ブロックの他方の片側面の横に側方空洞を作り、土壌ブロックの下方に底部空洞を作ることにより、地表面から下層に続く空洞を構築し、前記側方空洞及び底部空洞の形状を所定時間保持する第一工程と、
（ｂ）土壌表面に敷設した配置資材を前記側方空洞に向けて寄せ集めて収集し、前記側方空洞及び底部空洞内に配置資材を投入落下させ、配置資材を前記側方空洞及び底部空洞内にＬ字形状に溜める第二工程と、
（ｃ）配置資材をＬ字形状に溜めた前記側方空洞及び底部空洞内に持上げた前記土壌ブロックを落とすことで土壌を埋戻し、配置資材が投入されたＬ字形状縦溝を形成する第三行程と、
を行うことを特徴とする資材溝埋設施工方法。
【発明の詳細な説明】
【技術分野】
【０００１】
本発明は、理化学性に劣る土壌を有する農地や土地に対して、農林業水産業で発生する有機質や無機質の材料、砂や火山灰などの土壌や砂利などの資材を土中の任意の深さに埋設することで、理化学性に劣る下層土の一部に通水性や通気性、保水性、肥沃度の良好な溝部を構築する資材溝埋設機及び資材溝埋設施工方法に関する。
【背景技術】
【０００２】
第一次産業の盛んな地域では、農業ではワラや糞尿など、林業では樹皮など、水産業では魚類内臓や貝殻など、大量の有機質や無機質の副産物が排出される。農業では、これらの副産物を有効活用するため堆肥化して資材として利用することを推進している。これら資材の利用方法としては、表面散布して混和する以外に活用する方法が少ない。また、堆肥などの有機質資材の表面散布は農作物の病害発生を助長するなど悪影響がある場合もある。そのため、これら資材である堆肥などの使用量は減少し、廃棄的な扱いとなる問題を抱えている。
【０００３】
一方、農業生産の現場では、肥料などの生産資材の価格上昇が大きく影響して農業の収益性が低下している。食料の安定供給には、第一次産業から出るこれらの副産物を現在の循環体系の中で有効利用して農業生産性の向上に貢献するため、これら資材を用いた表面散布以外の新たな土壌改良の方法が必要である。
【０００４】
斯かる土壌改良技術、特に、資材を用いた土壌改良については、従来、次のようなものがある。
一般的には、理化学性が不良で地力が劣る作物生産力の低い土壌を、高生産性な土壌に改善するため、表面に各種の資材を散布してロータリやプラウなどを用いて混和する土壌改良が行われている。
また、粘質な物理性に劣る土壌の下層土に対しては、モミガラなどの透水性の高い材料を方形の縦溝に投入する機械（特許文献１）がある。同じように重粘土の畑の下層土に対して、疎水剤などの材料を方形の縦溝に投入する心土改良法（特許文献２）がある。
【先行技術文献】
【特許文献】
【０００５】
【特許文献１】特開２００６−２３０４１７号公報
【特許文献２】特開平２−２１１８０１号公報
【発明の概要】
【発明が解決しようとする課題】
【０００６】
しかしながら、従来技術によれば、前述のとおり、（１）表土の土壌改良である表面散布して混和する方法は、農業者が営農の中で行う作業であり広く取り組まれている。しかし、農業生産上の問題などが徐々に明らかになり、営農での取組みの気運が低迷し、一次産業副産物の堆肥の使用量が減少している。
【０００７】
その他には、（２）資材を不良な土壌に多量に投入して土壌を改良する方法がある。下層土に資材を埋設する土層改良機や心土改良法では、(ａ)埋設する材料を埋設機に積込んで、方形の縦溝に材料を落としながら埋設していく必要があり、作業機と資材の両方を支えることができる大型の牽引作業機が必要で、大がかりな工事となり、かつ施工効率も低く、高コストとなる（特許文献１並びに特許文献２）。（ｂ）資材を積み込む作業機がその場に必要となり機械や人員が多く必要である。（ｃ）資材の埋設間隔が固定され（特許文献２）、溝の形状が決まっており資材投入量の増減の調整ができない（特許文献１並びに特許文献２）。
【０００８】
資材の投入溝の配置間隔が固定され、投入量が一定であると、整備費が高コストで固定的である。また、資材に含まれる窒素などの成分が地下水等の公共用水域に対する環境汚染の原因となることから環境保全上の観点から不適切な場合もある。
【０００９】
また、（ｄ）農業生産面からは資材を埋設するため圃場の表層全面を反転して下層土を露出させて、資材を下層土に敷設する必要があったため、表土が攪耘された状態になり工事後の表面処理が必要である。そのため、一連の施工による土壌の攪乱が多く、土壌の状態が改良の工事より悪化する場合が多い。
【００１０】
さらに、これまでの改良機械では、（ｅ）資材の種類が、機械の資材積載部から方形の縦溝の中に投入しやすいように、モミガラや砂利、火山灰、細かい有機物などの粒状や細かい物体である必要があり、ワラや作物残渣などの比較的長く大きい資材を、形の決まった縦溝状の土壌中に埋設する土壌改良材として利用することができなかった。
【００１１】
以上の現状に鑑み、本発明は、作物生産性に劣る土壌を有する地域に対しても、より高生産性な農地を創出するための下層土を対象とした土壌改良の方法として、第一次産業から排出される多様な形状や性状、存在形態の副産物を土壌の改良資材として活用できるように、従来技術の如く機械に資材を積込む必要がなく、一台の牽引作業機の動力だけで作業ができ、土壌改良資材の使用量や溝状に埋設する間隔と深さの設定が調整でき、土壌の攪乱を最小限に抑えた、高い施工性と低コストを具備した土壌改良のための資材溝埋設機及び資材溝埋設施工方法を提供することを目的とする。
【００１２】
具体的には、本発明は牽引作業機による牽引動力によって土壌ブロックを作り、持上げて、土壌表面から土壌下層に続く空洞を構築し、牽引作業機からの回転トルクの動力を用いた資材収集投入機により、農地の表面に敷設・散布した、散在している多様な種類と大きさ、形状の資材を、土壌ブロック持上げ部により作られたＬ字形状の地表から空いた空洞に落とし入れ、下層土に資材を縦溝状の固まりとして埋設する土壌改良法を提供することである。
【００１３】
さらに具体的には、構築する資材の溝埋設部は、下層土中に形成される資材が集まった縦溝であって、従来の有材の下層土改良と同等の溝形状の形成能力を有することを目的とする。同時に、縦溝形成が任意の間隔で施工でき、加えて用いる資材の種類と量も任意に選定できるようにして、従来技術より施工の自由度を高めることを目的とする。
【課題を解決するための手段】
【００１４】
上記の課題を解決すべく、本発明は以下の構成を提供する。
請求項１に係る発明は、作業車で牽引して対象土壌の表面と下層を進行させることにより、土壌を耕耘し過度に攪乱することなく、予め、土壌表面に所定厚さ又は所定量敷設した配置資材を寄せ集めて、配置資材を所定範囲内に設定した一定の間隔で土壌中に埋設して、土壌中に配置資材が投入されたＬ字形状縦溝を形成する資材溝埋設機であって、
(a)前記作業車の後方に装着する作業機取付フレームと、前記作業機取付フレームに取り付けられ、牽引されて対象土壌を逆台形状断面の土壌ブロックに切断し、切断した土壌ブロックを持ち上げる土壌ブロック持上げ部と、前記土壌ブロック持上げ部の側方に配設され、土壌表面の配置資材を収集して投入する資材収集投入機とを備え、
(b)前記土壌ブロック持上げ部は、前記土壌ブロックの一方の側面側を切断する、刃の付いた平板支柱である土壌切断刃支柱と、前記土壌切断刃支柱と対に配設され、前記土壌ブロックの他方の側面側を切断すると共に、切断された土壌ブロックを支える土壌切断刃付き側方空間保持板と、前記土壌切断刃支柱と前記土壌切断刃付き側方空間保持板の下端に夫々両端が接続され、前記土壌ブロックの底面側を切断すると共に、切断した土壌ブロックを支えて持ち上げる土壌ブロック持上げスライド板とを有し、
(ｃ)前記土壌ブロック持上げスライド板は、進行方向後方に向かって前記土壌切断刃支柱の延長線上に沿って漸次高くなり、所定高さになった位置から所定長さ水平に配置されてなり、
（ｄ）前記土壌ブロック持上げ部は、対象土壌中を進行しつつ、前記土壌切断刃支柱と、前記土壌切断刃付き側方空間保持板と、前記土壌ブロック持上げスライド板の夫々前方に付加された土壌切刃により対象土壌を逆台形状断面の土壌ブロックに切断し、
（ｅ）切断された土壌ブロックを前記土壌ブロック持上げスライド板と前記土壌切断刃付き側方空間保持板によって支えながら、前記土壌ブロック持上げスライド板により前記土壌切断刃付き側方空間保持板に沿って斜め上方に持上げることにより、前記土壌切断刃付き側方空間保持板の裏側に側方空洞を作り、土壌ブロック持上げスライド板の下方に底部空洞を作って、前記側方空洞と、底部空洞とにより土壌表面から続くＬ字状の空洞を構築し、
（ｆ）前記資材収集投入機により、予め、土壌表面に敷設された配置資材を片側に寄せ集めて、前記Ｌ字状の空洞に投入落下させ、
（ｇ）前記土壌ブロック持上げスライド板で持上げた土壌ブロックを前記Ｌ字状の空洞上に落とし土壌を埋戻すことにより、土壌中に配置資材が投入されたＬ字形状縦溝を形成するように構成したことを特徴とする資材溝埋設機を提供するものである。
【００１５】
請求項２に係る発明は、前記資材収集投入機は、幅の異なる資材収集投入機を選択して接続することにより、又は、資材収集投入機の接続角を調節することにより、配置資材収集幅又は配置資材の埋設間隔を調整するように構成したことを特徴とする請求項２記載の資材溝埋設機を提供するものである。
【００１６】
請求項３に係る発明は、前記資材収集投入機として、円形オーガが配置されたオーガ式資材収集投入機、又は、チェーンに複数のカップが配設されたチェーン式資材収集投入機のいずれかが選択自在に取り付けられることを特徴とする請求項１又は２記載の資材溝埋設機を提供するものである。
【００１７】
請求項４に係る発明は、前記資材収集投入機は、作業機の進行方向に対して斜め横向き或いは横向きに配置されることを特徴とする請求項１乃至３のうちいずれか一に記載の資材溝埋設機を提供するものである。
【００１８】
請求項５に係る発明は、前記作業機取付フレームに前記作業機取付フレームの高さを調節する作業機取付フレーム高さ調整車輪を設け、前記作業機取付フレーム高さ調整車輪によって前記作業機取付フレームの高さを調節することにより、土壌ブロックの切断深さを調整自在に構成したことを特徴とする請求項１乃至４のうちいずれか一に記載の資材溝埋設機を提供するものである。
【００１９】
請求項６に係る発明は、前記資材収集投入機に前記資材収集投入機の高さを調節する資材収集投入機設置高さ調節用ソリを設け、前記資材収集投入機設置高さ調節用ソリを介して前記資材収集投入機の高さを調節することにより、配置資材収集の厚さを調整自在に構成すると共に、前記資材収集投入機に資材投入機高さ調節スプリングを設け、前記資材投入機高さ調節スプリングを介して前記資材収集投入機を土壌表面の凹凸等に追従させて自由に上下させるように構成したことを特徴とする請求項１乃至５のうちいずれか一に記載の資材溝埋設機を提供するものである。
【００２０】
請求項７に係る発明は、対象土壌を耕耘して過度に攪乱することなく、予め、土壌表面に敷設した配置資材を寄せ集めて、所定範囲内に設定した一定の間隔で、土壌中に配置資材を埋設して、土壌中に配置資材が投入されたＬ字形状縦溝を形成する資材溝埋設施工方法であって、
（ａ）土壌を逆台形状断面の土壌ブロックに切断し、切断した土壌ブロックを逆台形の片側面に沿って斜め上方に持上げ、土壌ブロックの他方の片側面の横に側方空洞を作り、土壌ブロックの下方に底部空洞を作ることにより、地表面から下層に続く空洞を構築し、前記側方空洞及び底部空洞の形状を所定時間保持する第一工程と、
（ｂ）土壌表面に敷設した配置資材を前記側方空洞に向けて寄せ集めて収集し、前記側方空洞及び底部空洞内に配置資材を投入落下させ、配置資材を前記側方空洞及び底部空洞内にＬ字形状に溜める第二工程と、
（ｃ）配置資材をＬ字形状に溜めた前記側方空洞及び底部空洞内に持上げた前記土壌ブロックを落とすことで土壌を埋戻し、配置資材が投入されたＬ字形状縦溝を形成する第三行程と、
を行うことを特徴とする資材溝埋設施工方法を提供するものである。
【発明の効果】
【００２１】
本発明の資材溝埋設機の具備する土壌ブロック持上げ部の土壌切断機構は、対象土壌に対して進行しつつ、土壌が崩れて乱れないようにするため土壌の力学的性質を考慮した刃先かつ台形状の切断刃で、対象土壌を逆台形の土壌ブロックに切断整形する。続いて逆台形の土壌ブロックを片側の切断面に沿って斜めに上にずらしながら持上げて、地表面から空洞の下部に至るまでに一定幅の側方空洞をつくる。
地表面に開いた一定幅の側方空洞に、予め、既存の営農や工事の作業機により土壌表面に散布・敷設した資材を、資材収集投入機によりある範囲内の任意の幅で寄せ集めて収集し、土壌表面に開いた側方空洞から底部空洞に投入する。空洞内に資材を投入して充填した直後に、持上げていた逆台形の土壌ブロックを空洞内に落として埋戻すことで、対象土壌中に資材溝埋設部を構築する。
従って、これまでの下層土への資材投入による土壌改良と異なり、（ａ）施工機械に資材を積載することなく、（ｂ）溝の間隔や深さがある範囲内で任意に設定でき、（ｃ）圃場全面が攪乱されることなく溝部のみの切断ですみ、（ｄ）かつ、縦溝部をつくるため持上げた土塊ブロックが崩れて攪乱しないため、下層土が表面にでることなく、（ｅ）使用できる資材の種類が豊富で、（ｆ）機械走行だけで施工できる、ことから、従来の下層土に対する土壌改良より適用性が広範である。
【００２２】
本発明では、資材溝埋設機の資材収集投入機を２種類から選択し、また、資材収集投入機の取付位置である高さ或いは角度を調整することにより、基本的な構造及び機能は共通するが一部において構造及び機能の異なる２種類の資材溝埋設機によって、一定の範囲内で任意の深さと間隔を設定でき、施工・計画の自由度が高い。
【００２３】
この結果、本発明の資材溝埋設機の施工では、多様な資材を使用でき、自由な間隔と深さに資材の配置が可能となり、施工の効果や耐久性は、従来の下層土の土壌改良と同様に確保され、下層土に対する土壌改良の整備水準と整備コストの調整が可能となり、より多くの農地を高生産性化して、優良な農地の創出に貢献できる。
【図面の簡単な説明】
【００２４】
【図１】本発明の資材溝埋設機の全体構成を示す右側面図である。
【図２】本発明の資材収集投入機がオーガ式資材溝埋設機である場合の資材溝埋設機の全体構成図を示す左側面図である。
【図３】本発明の資材収集投入機がチェーン式資材収集投入機である場合の資材溝埋設機の全体構成図を示す左側面図である。
【図４】本発明の資材溝埋設機の土壌ブロック持上げ部を示す斜面図である。
【図５】（ａ）〜（ｆ）前図４に示した土壌ブロック持上げ部の各矢印方向から見た図面である。
【図６】本発明の資材溝埋設機と資材収集投入機の接続状況を示す平面図である。
【図７】本発明の資材収集投入機の第一形態であるオーガ式資材収集投入機の正面図である。
【図８】本発明の資材収集投入機の第二形態であるチェーン式資材収集投入機の正面図である。
【図９】本発明の資材溝埋設機の土壌ブロック持上げ部による施工方法を示す斜視図である。
【図１０】本発明の資材溝埋設機による施工方法を上から見た平面図である。
【図１１】本発明の資材溝埋設機により施工した圃場の土壌の断面図である。
【図１２】本発明の資材溝埋設機による施工圃場の縦溝部周辺の土壌断面の山中式土壌硬度の面的な分布状況図である。
【図１３】（ａ）〜（ｄ）本発明の資材溝埋設機のオーガ式資材収集投入機並びにチェーン式資材収集投入機による試験施工時の資材溝埋設部の土壌断面図である。
【発明を実施するための形態】
【００２５】
以下、実施例を示した図面を参照しつつ本発明の実施の形態を説明する。
図１に示す如く、本発明の資材溝埋設機１は、資材溝埋設機１の前部に設けられる作業機取付フレーム１０が、牽引車（図示省略）の後方に連結されて牽引されることにより、資材溝埋設機１の後部に設けられる土壌ブロック持上げ部２０の土壌切断刃支柱２０Ｂと土壌切断刃付き側方空間保持板２０Ｃと土壌ブロック持上げスライド板２０Ｄとが、図９及び図１０に示す如く、対象土壌２６を逆台形の土壌ブロック２７に切断整形すると共に、切断整形された土壌ブロック２７を土壌ブロック持上げスライド板２０Ｄと土壌切断刃付き側方空間保持板２０Ｃの面で支えながら、土壌ブロック持上げスライド板２０Ｄにより土壌切断刃支柱２０Ｂの切断面に沿って持上げ、土壌切断刃付き側方空間保持板２０Ｃの裏側と土壌ブロック持上げスライド板２０Ｄの下方の土壌中に側方空洞２９Ａと底部空洞２９Ｂからなる土壌表面から続くＬ字状の空洞２９Ｃを構築するものである。
【００２６】
そして、この土壌ブロック２７の切断持上げと同時に、地表面に敷設あるいは散布した表面散布資材あるいは配置資材２８を資材収集投入機（図２に於いて２１）により寄せ集めて収集し、側方空洞２９Ａ及び側方空洞２９Ａから土壌中の底部空洞２９Ｂに投入して充填し、土壌ブロック２７を充填した配置資材２８の上に置いて（埋め戻して）埋戻し土３１とし、資材溝埋設部３０を構築する。この改良の対象となる土壌は通常農業で耕耘される深さ以下の下層土である。
以上の説明において「溝」と称する場合は、本発明により下層土中に構築される資材が投入された資材溝埋設部３０を意味する。すなわち、資材溝埋設部３０であるこの溝は、掘削溝形状内に資材が充填した溝であり、周辺土壌に比べて物理性及び／或いは化学性が良好な通水・保水・通気溝として機能する。
【００２７】
本発明は、土壌の性質及び／又は用いる資材の性質等を考慮して、各構成部品を適宜選択し、その組合せ及び調整により、基本的な構造及び機能は共通するが一部において構造及び機能の異なる２種類の資材溝埋設機を提供する。
【００２８】
図１は、本発明の資材溝埋設機１の全体構成を示す（進行方向後方に向かって右側から見た）右側面図である。作業機取付フレーム１０を前方に持ち、牽引車となる作業機には作業機取付フレーム三点リンク上部接続孔１０Ａと作業機取付フレーム三点リンク下部接続部１０Ｂにより作業機の三点リンクを介して取り付ける。資材溝埋設機１の地表面からの高さは、作業機取付フレーム１０の下部にある作業機取付フレーム高さ調整車輪１０Ｃを作業機取付フレーム高さ調節車輪設置高調整支柱１０Ｄにより調整することにより変えることができる。
【００２９】
作業機取付フレーム１０の後方には土壌ブロック持上げ部２０が、後ろ方向に向かう土壌ブロック持上げ部フレーム２０Ａに沿って配置されている。土壌ブロック持上げ部フレーム２０Ａを挟むように進行方向前方から見て右に土壌切断支柱２０Ｂ、左に土壌切断刃付き側方空間保持板２０Ｃが設けられ、下部に土壌ブロック持上げスライド板２０Ｄが後方に向かって高くなるように配置されている。この土壌ブロック持上げ部２０は土壌ブロック持上げ部可動用油圧シリンダー２０Ｅにより後部を高く持ち上げて折った状態にすることができ、施工時の土壌ブロック持上げ部２０の土壌からの引き抜きや、運搬時の資材溝埋設機１の折りたたみのため可動できるように構成されている。
土壌ブロック持上げ部フレーム２０Ａの進行方向前方から見て左側には、資材収集投入機取付部２２、及び、図２に示す資材収集投入機上部取付部２２Ａが接続され、それらに資材収集投入機２１が取り付けられる。
【００３０】
図２は、本発明の資材収集投入機２１がオーガ式資材溝埋設機２１Ａの場合の資材溝埋設機１の全体構成図を示す（進行方向後方に向かって左側から見た）左側面図である。
資材収集投入機２１の第一形態であるオーガ式資材収集投入機２１Ａは、資材収集投入機取付部２２の資材収集投入機上部取付部２２Ａに接続しているオーガ式資材収集投入機高さ調節スプリング２３Ｂによってつり下げられ、資材収集投入機高さ調整式取付部２２Ｂと接続している資材収集投入機可動連結部２２Ｃに接続されている。
資材収集投入機２１のオーガ式資材収集投入機２１Ａは資材収集投入機可動連結部２２Ｃに設置する資材収集投入機接地高さ調節用ソリ２３Ａで地表面の資材を寄せ集め収集する資材掘削深を一定に確保するとともに、資材収集投入機上部取付部２２Ａと接続するオーガ式資材収集投入機高さ調節スプリング２３Ｂの作用によって柔軟に地表面の凹凸に追従できる。
【００３１】
オーガ式資材収集投入機２１Ａの駆動は、ＰＴＯ（Power take-off）トルク伝達軸１０ＥからのトルクをＰＴＯトルク伝達部２１Ｂが受け、ＰＴＯトルクオーガ軸伝達部（図示せず）を介して資材収集投入用オーガ２１Ｄを駆動させる。資材収集投入用オーガ２１Ｄの駆動により地表面に配置した資材を土壌切断刃付き側方空間保持板２０Ｃ側に寄せ集める。
【００３２】
図３は、本発明の資材収集投入機２１がチェーン式資材収集投入機２４Ａの場合の資材溝埋設機１の全体構成を示す（進行方向後方に向かって左側から見た）左側面図である。
資材収集投入機２１の第二形態であるチェーン式資材収集投入機２４Ａは、第一形態と同様に、資材収集投入機取付部２２の資材収集投入機上部取付部２２Ａから接続しているチェーン式資材収集投入機高さ調節スプリング２４Ｃによって吊り下げられ、資材収集投入機高さ調整式取付部２２Ｂと接続する資材収集投入機可動連結部２２Ｃに接続される。
資材収集投入機２１のチェーン式資材収集投入機２４Ａは資材収集投入機可動連結部２２Ｃに設置されている資材収集投入機接地高さ調節用ソリ２３Ａで地表面の資材を寄せ集め収集する資材掘削深を一定に確保するとともに、資材収集投入機上部取付部２２Ａと接続するチェーン式資材収集投入機高さ調節スプリング２４Ｃの作用によって柔軟に地表面の凹凸に追従できる。
【００３３】
チェーン式資材収集投入機２４Ａの駆動は、ＰＴＯトルク伝達軸１０Ｅから直接のＰＴＯトルク伝達部２４Ｂが受け、資材収集投入用チェーン２４Ｄを回転駆動させる。資材収集投入用チェーン２４Ｄに取付けた資材収集投入用チェーンカップ２４Ｅの駆動により地表面に配置した資材を土壌切断刃付き側方空間保持板２０Ｃ側に寄せ集める。
【００３４】
図４は、本発明の資材溝埋設機１の土壌ブロック持上げ部２０を示す斜面図である。
土壌ブロック持上げ部２０は、土壌ブロック持上げ部フレーム２０Ａを挟むように進行方向後方に向かって右に平板支柱状に形成された土壌切断支柱２０Ｂが斜め左下方に向かって斜設され、左に進行方向後方に向かって所定長さを有する土壌切断刃付き側方空間保持板２０Ｃが斜め右下方に向かって斜設され、土壌切断支柱２０Ｂと土壌切断刃付き側方空間保持板２０Ｃとは、互いに対となるように配設され、且つ、互いに上部間隔が幅広く下方に向かって徐々に間隔を狭く配置され、土壌切断支柱２０Ｂと土壌切断刃付き側方空間保持板２０Ｃの下端に、夫々両端を接続されて土壌ブロック持上げスライド板２０Ｄが配置され、土壌面に対して切断刃のある前面は逆台形の形状に形成されている。下部の土壌ブロック持上げスライド板２０Ｄは一定の幅の板で、土壌切断支柱２０Ｂとの接続部が水平に、それより後方では土壌切断刃支柱２０Ｂの斜面延長にあわせて徐々に高くして、土壌切断刃付き側方空間保持板２０Ｃを反対に沿わせて接続している。土壌ブロック持上げスライド板２０Ｄは後部の所定の高さのところで所定の長さで水平になるよう配置されている。
【００３５】
図５は、図４に示した各矢印方向から見た、本発明の資材溝埋設機１の土壌ブロック持上げ部２０を示す図面である。
図５（ｃ）に示す正面から見るとお互いに接続してある土壌切断支柱２０Ｂと右に土壌切断刃付き側方空間保持板２０Ｃ、土壌ブロック持上げスライド板２０Ｄの前面に施された切断刃部分が、逆台形の形状に形成されている。土壌ブロック持上げスライド板２０Ｄは土壌切断支柱２０Ｂに沿って徐々に高くなり、反対側に土壌切断刃付き側方空間保持板２０Ｃに沿って接続され、所定の高さのところで水平にしてある。それぞれの接続がわかるように、土壌ブロック持上げ部２０を、平面図｛図５（ａ）｝、左側面図｛図５（ｂ）｝、右側面図｛図５（ｄ）｝、底面図｛図５（ｅ）｝、後面図｛図５（ｆ）｝で示している。
土壌切断支柱２０Ｂと土壌切断刃付き側方空間保持板２０Ｃ、土壌ブロック持上げスライド板２０Ｄの切断刃により土壌が逆台形に切断され土壌ブロック（図９に於いて２７）となり、土壌ブロックは、土壌ブロック持上げスライド板２０Ｄの上を所定の高さまで持上げられ、それ以後土壌ブロックが土壌ブロック持上げ部２０から後方に落とされる。
【００３６】
図６は、本発明の資材溝埋設機１と資材収集投入機２１の接続状況を上から見た平面図である。
資材収集投入機２１は、資材収集投入機取付部２２に資材収集投入機２１の進行方向に対して斜め或いは横に取付ける。併せて資材収集投入機高さ調節用ソリ２３Ａを前方に取付ける。
資材収集投入機２１には、後述する如く２種類の方式があり、土壌や資材などの条件に応じて選択して付け替えることが可能である。
【００３７】
図７は、本発明の資材収集投入機２１の第一形態であるオーガ式資材収集投入機２１Ａの正面図である。
オーガ式資材収集投入機２１Ａは、オーガ式資材収集投入機高さ調節スプリング２３Ｂにより吊り下げ、資材収集投入機可動調節取付部２９に資材収集投入機可動連結部（図２に於いて２２Ｃ）を接続して固定する。
オーガ式資材収集投入機２１Ａの駆動は、ＰＴＯトルクをＰＴＯトルク伝達部２１Ｂが受け、横軸を介してＰＴＯトルクオーガ軸伝達部２１Ｃに回転を伝え資材収集投入用オーガ２１Ｄを駆動させる。資材収集投入用オーガ２１Ｄの駆動により地表面に配置した資材を土壌切断刃付き側方空間保持板（図２に於いて２０Ｃ）側に寄せ集める。
【００３８】
図８は、本発明の資材収集投入機２１の第二形態であるチェーン式資材収集投入機２４Ａの正面図である。
チェーン式資材収集投入機２４Ａは、資材収集投入機高さ調節スプリング２３Ｂによって吊り下げ、資材収集投入機可動調節取付部２９に資材収集投入機可動連結部（図３に於いて２２Ｃ）を接続して固定する。
チェーン式資材収集投入機２４Ａの駆動は、ＰＴＯトルクをＰＴＯトルク伝達部２４Ｂが受け、ＰＴＯトルクチェーン伝達部２４Ｃに回転を伝え資材収集投入用チェーン２４Ｄを駆動させて行う。資材収集等入用チェーン２４Ｄに取付た資材収集投入用チェーンカップ２４Ｅの移動により地表面に配置した資材を土壌切断刃付き側方空間保持板（図３に於いて２０Ｃ）側に寄せ集める。
【００３９】
図９は、本発明の資材溝埋設機１の土壌ブロック持上げ部２０による施工方法を示す斜視図である。
土壌ブロック持上げ部２０の土壌切断刃支柱２０Ｂと土壌切断刃付き側方空間保持板２０Ｃと土壌ブロック持上げスライド板２０Ｄとにより対象土壌２６を逆台形の土壌ブロック２７に切断して、土壌切断刃付き側方空間保持板２０Ｃと土壌ブロック持上げスライド板２０Ｄの面で支えて、土壌ブロック２７を土壌切断刃支柱２０Ｂの切断面に沿わせて持上げ、土壌切断刃付き側方空間保持板２０Ｃの裏側に側方空洞２９Ａを作り、土壌ブロック持上げスライド板２０Ｄの下部に下方空洞２９Ｂを作り、土壌中にこれらが連続したＬ字形状空洞２９Ｃを構築する。
【００４０】
このＬ字形状空洞２９Ｃに、地表面にある表面散布資材或いは配置資材２８を資材収集投入機（図２又は図３に於いて２１）により寄せ集めて、側方空洞２９Ａから投入落下させ、Ｌ字形状空洞２９Ｃの下部に資材を充填する。その後、土壌ブロック持上げスライド板２０Ｄ上の土壌ブロック２７をＬ字形状空洞２９Ｃの下部に充填された表面散布資材或いは配置資材３２上に落として埋め戻し土３１として空洞を埋め戻し、資材溝埋設部３０を構築する。
【００４１】
図１０は、本発明の資材溝埋設機１による施工方法を上から見た平面図である。
本発明の資材溝埋設機１の土壌ブロック持上げ部２０による施工は、逆台形に接続された土壌切断刃支柱２０Ｂと土壌切断刃付き側方空間保持板２０Ｃ、土壌ブロック持上げスライド板２０Ｄにより対象土壌２６を逆台形の土壌ブロック２７に切断整形して、土壌切断刃付き側方空間保持板２０Ｃと土壌ブロック持上げスライド板２０Ｄの面で支えて土壌ブロック２７を土壌切断刃支柱２０Ｂの切断面に沿わせて持上げ、土壌切断刃付き側方空間保持板２０Ｃの裏側に側方空洞２９Ａを構築する。
【００４２】
この側方空洞２９Ａに、地表面にある表面散布資材或いは配置資材２８を資材収集投入機２１により集めて、側方空洞２９Ａから投入落下させ、Ｌ字形状空洞２９Ｃの下部に資材を充填する。
表面散布資材或いは配置資材２８の収集範囲は、資材収集投入機幅Ｌと資材収集投入機接続角θで決まる資材収集幅Ｌ・ＣＯＳθとなり、資材収集投入機幅Ｌの異なる機械の接続と、資材収集投入機接続角θを資材収集投入機２１の資材収集投入機可動連結部２２Ｃの変更と資材収集投入機可動調節取付部２９の接続の調節で任意の幅に調整できる。この資材収集幅Ｌ・ＣＯＳθが、図１１に示す資材溝埋設部３０の資材溝埋設間隔Ｗ１や資材溝埋設間隔Ｗ２となる。
【００４３】
図１１は、本発明の資材溝埋設機により施工した圃場の土壌の断面図である。資材溝埋設部３０は、図１０で示した資材収集投入機幅Ｌと資材収集投入機接続角θで決まる資材収集幅Ｌ・ＣＯＳθの調整で資材溝埋設間隔Ｗ１や資材溝埋設間隔Ｗ２を任意の異なる間隔に調整することができる。
資材溝埋設部３０の施工深さは、資材溝埋設作業機１の地表面からの高さの調節で調整できる。そのためには、図１に示した作業機取付フレーム１０の下部にある作業機取付フレーム高さ調整車輪１０Ｃの取付位置を作業機取付フレーム高さ調節車輪設置高調整支柱１０Ｄで調節することにより調整できる。そのときには、図２に示した資材収集投入機２１を接続する資材収集投入機取付部（図６に於いて２２）の資材収集投入機上部取付部２２Ａから接続しているオーガ式資材収集投入機高さ調節スプリング２３Ｂの長さ調整と、資材収集投入機高さ調整式取付部２２Ｂと接続している資材収集投入機可動連結部２２Ｃの接続位置の変更を行なうことで、図１１に示す如く資材埋設部深さを６０ｃｍ以内の任意の資材溝埋設深さｈ１や資材溝埋設深さｈ２に調整できる。
【００４４】
資材溝埋設部３０の高さＨ１、Ｈ２は、表面散布資材或いは配置資材２８の量と資材収集幅（図１０に於いてＬ・ＣＯＳθ）により資材溝埋設部３０に埋設する量を調節して調整できる。
【００４５】
資材溝埋設部３０の資材溝埋設部高さＨ１、Ｈ２を調節して、自由な整備水準で下層土の改良を行うことができ、既存の疎水材暗渠３２の設置圃場に施工して補助暗渠として機能させることもできる。
【００４６】
以下に、本発明の実施例及び比較例を示す。なお、説明の便宜のため、図面に用いた符号を用いる場合がある。
【実施例１】
【００４７】
表１は、本発明の資材溝埋設機１による縦溝部の試験施工の結果を示す。
試験場所：北海道網走市２６区の畑圃場
土壌条件：灰色台地土
使用資材：バーク堆肥  １０ｔ／１０ａ
【００４８】
【表１】
2011078322.tif 000003
【００４９】
資材溝埋設機１での施工圃場の縦溝部周辺の土壌は、表３にしめした未施工時の土壌条件にくらべて、乾燥密度と山中式土壌硬度が小さく、膨軟になり、堆肥の投入により土壌の地力である炭素含量と肥料の保持力である塩基置換容量が大幅に増加し、土壌の性質が改善された。
【００５０】
上記の資材溝埋設機１での施工圃場の縦溝部周辺の土壌断面の山中式土壌硬度の面的な分布状況を図１２に示す。縦溝部の周辺で山中式土壌硬度が明らかに低下し、作物根の伸長を阻害する１９ｍｍより下回る膨軟な溝が広く形成されたことが確認できた。
【実施例２】
【００５１】
表２は、本発明の資材溝埋設機１による縦溝部の試験施工の結果を示す。
試験場所：北海道北見市の北海道農業開発公社北見機械工場内の試験圃場
土壌条件：灰色低地土
使用資材：堆肥  ５ｔ／１０ａ
【００５２】
【表２】
2011078322.tif 000004
【００５３】
資材溝埋設機１での施工圃場の縦溝部周辺の土壌は、実施例１と同様に、表４に示した未施工時の土壌条件にくらべて、乾燥密度と山中式土壌硬度が小さく、膨軟になり、堆肥の投入により土壌の地力である炭素含量と肥料の保持力である塩基置換容量が大幅に増加し、土壌の性質が改善された。
【実施例３】
【００５４】
「成型性」
図１３には、本発明の資材溝埋設機のオーガ式資材収集投入機２１Ａ並びにチェーン式資材収集投入機２４Ａによる試験施工時の資材溝埋設部の土壌断面を示す。
試験場所：北海道北見市の北海道農業開発公社北見機械工場内の試験圃場
土壌条件：灰色低地土
使用資材と使用した施工機：
（ａ）バーク堆肥１０ｔ／１０ａ・チェーン式資材収集投入機２４Ａ
（ｂ）バーク堆肥  ５ｔ／１０ａ・オーガ式資材収集投入機２１Ａ
（ｃ）ホタテ貝殻祖粉砕物約１ｃｍ・チェーン式資材収集投入機２４Ａ
（ｄ）火山灰（砂質）約２ｃｍ・チェーン式資材収集投入機２４Ａ
いずれの施工試験の処理区でもおおむねＬ字形の縦溝状にそれぞれの資材がまとまって投入され縦溝形状を形成していた。このことから、いずれの資材収集投入機は適切に機能しており、多様な資材に対応できる。
【実施例４】
【００５５】
「施工効率」
表１及び表２に示した試験圃場でのオーガ式資材収集投入機２１Ａ並びにチェーン式資材収集投入機２４Ａの試験施工における施工効率は、いずれも１時間当たり平均１．９２〜２．１３ｋｍと、これまでの効果と耐久性のない心土破砕や弾丸暗渠と同等の施工効率であった。また、通常の有材の吸水渠を施工するときに細溝を掘削するバックホー掘削やトレンチャ掘削の掘削だけの施工効率と比較しても１０倍の施工効率を有していた。
【００５６】
＜比較例１＞
表３は、本発明の資材溝埋設機１による縦溝部の試験施工圃場の未施工の土壌条件を示す。
試験場所：北海道網走市２６区の畑圃場
土壌条件：灰色台地土
【００５７】
【表３】
2011078322.tif 000005
【００５８】
＜比較例２＞
表４は、本発明の資材溝埋設機１による縦溝部の試験施工圃場の未施工の土壌条件を示す。
試験場所：北海道北見市の北海道農業開発公社北見機械工場内の試験圃場
土壌条件：灰色低地土
【００５９】
【表４】
2011078322.tif 000006
【００６０】
＜比較例３＞
「施工効率」
通常の土層改良方法で施工するときに細溝に資材を埋設する時の施工効率は、バックホー掘削が１時間当たり１４０ｍ、トレンチャ掘削が１時間当たり２４０ｍと本発明の施工機の施工効率より１／１０以下と極めて低い施工効率である。これに比べても、本発明の施工機の施工効率は高く、緊急的な土壌改良が必要になった時にも対応が可能である。
【００６１】
以上のことから、本発明により構築された縦溝部は、適切に資材が一定の形状で埋設されたことから、従来の下層土の土壌改良に類似する施工性と改良効果が期待されることが明らかになった。
【符号の説明】
【００６２】
１０  作業機取付フレーム
１０Ｃ  作業機取付フレーム高さ調整車輪
２０  土壌ブロック持上げ部
２０Ａ  土壌ブロック持上げ部フレーム
２０Ｂ  土壌切断刃支柱
２０Ｃ  土壌切断刃付き側方空間保持板
２０Ｄ  土壌ブロック持上げスライド板
２１  資材収集投入機
２１Ａ  オーガ式資材収集投入機
２３Ａ  資材収集投入機接地高さ調節用ソリ
２３Ｂ  資材収集投入機高さ調節スプリング
２４Ａ  チェーン式資材収集投入機
２６  対象土壌
２７  土壌ブロック
２８  配置資材
２９Ａ  側方空洞
２９Ｂ  底部空洞
２９Ｃ  Ｌ字形状空洞
【図１】
2011078322.tif 000007
【図２】
2011078322.tif 000008
【図３】
2011078322.tif 000009
【図４】
2011078322.tif 000010
【図５】
2011078322.tif 000011
【図６】
2011078322.tif 000012
【図７】
2011078322.tif 000013
【図８】
2011078322.tif 000014
【図９】
2011078322.tif 000015
【図１０】
2011078322.tif 000016
【図１１】
2011078322.tif 000017
【図１２】
2011078322.tif 000018
【図１３】
2011078322.tif 000019